(57)【要約】【課題】  ロータリカバー自体の必要強度を抑えて、ロータリカバーの形状をシンプルに構成できるようにすると共に、固定部が外部に露出することを回避して、ロータリカバーの外観を向上させる。【解決手段】  ロータリ耕耘軸５と、ロータリ耕耘軸５の上方を覆うロータリカバー１５と、ロータリ耕耘軸５に動力を伝動するミッションケース２とを備える歩行型耕耘機１であって、ミッションケース２にカバーブラケット１４を突設すると共に、該カバーブラケット１４上にロータリカバー１５を重合し、該ロータリカバー１５を下面側でカバーブラケット１４に固定する。【選択図】        図２
2006191867.tif 000002
【特許請求の範囲】
【請求項１】
ロータリ式の耕耘部と、該耕耘部の上方を覆うロータリカバーと、前記耕耘部に動力を伝動する耕耘伝動ケースとを備える歩行型耕耘機において、
前記耕耘伝動ケースにブラケットを突設すると共に、該ブラケット上に前記ロータリカバーを重合し、該ロータリカバーを下面側で前記ブラケットに固定したことを特徴とする歩行型耕耘機。
【請求項２】
前記ロータリカバーの左右両側部には、側面視で前記ブラケットを隠蔽する側面リブが形成されることを特徴とする請求項１記載の歩行型耕耘機。
【発明の詳細な説明】
【技術分野】
【０００１】
本発明は、ロータリ式の耕耘部を備える歩行型管理機などの歩行型耕耘機に関する。
【背景技術】
【０００２】
ロータリ式の耕耘部を備える歩行型管理機などの歩行型耕耘機が知られている（例えば、特許文献１参照）。この種の歩行型耕耘機は、ロータリカバーを備えており、このロータリカバーで耕耘部の上方を覆うことにより、耕耘土の飛散を防止している。
【特許文献１】特開平１０−２２５２０５号公報
【発明の開示】
【発明が解決しようとする課題】
【０００３】
しかしながら、従来のロータリカバーは、金属板を曲げ加工して構成され、耕耘伝動ケースに直接取付けられていたため、形状が複雑なだけでなく、取付部が外部に露出し、外観を低下させる不都合があった。
【課題を解決するための手段】
【０００４】
本発明は、上記の如き実情に鑑みこれらの課題を解決することを目的として創作されたものであって、ロータリ式の耕耘部と、該耕耘部の上方を覆うロータリカバーと、前記耕耘部に動力を伝動する耕耘伝動ケースとを備える歩行型耕耘機において、前記耕耘伝動ケースにブラケットを突設すると共に、該ブラケット上に前記ロータリカバーを重合し、該ロータリカバーを下面側で前記ブラケットに固定したことを特徴とする。このようにすれば、ロータリカバーがブラケットを介して耕耘伝動ケースに取付けられるので、ロータリカバー自体の必要強度を抑えることができるだけでなく、ロータリカバーの形状をシンプルに構成することができ、その結果、形状がシンプルな樹脂製のロータリカバーなどを可能にし、歩行型耕耘機のデザイン性を高めることができる。しかも、ロータリカバーは、その下面側でブラケットに固定されるので、固定部が外部に露出することも回避できる。
また、前記ロータリカバーの左右両側部には、側面視で前記ブラケットを隠蔽する側面リブが形成されることを特徴とする。このようにすれば、ブラケットが外部に露出することを可及的に回避できるので、ブラケットの露出による外観の低下を防ぐことができる。
【発明を実施するための最良の形態】
【０００５】
次に、本発明の実施形態について、図面に基づいて説明する。図面において、１は歩行型耕耘機（歩行型管理機）であって、該歩行型耕耘機１は、機体フレームに兼用される側面視略への字状のミッションケース２を備えている。ミッションケース２の後端部左右両側には、車軸３を介して車輪４が軸支され、また、ミッションケース２の前端部には、左右外側方に延出するロータリ耕耘軸（耕耘部）５が軸支されている。
【０００６】
ミッションケース２の上部には、エンジン６が搭載されている。エンジン６は、テンションクラッチからなるメインクラッチ（図示せず）を介して、ミッションケース２に動力を入力している。ミッションケース２には、走行動力を変速する走行変速機構と、耕耘動力を変速する耕耘変速機構とを含むトランスミッションが内装されている。すなわち、本実施形態のミッションケース２は、エンジン６から車輪４に駆動力を伝動する走行伝動ケースと、エンジン６からロータリ耕耘軸５に駆動力を伝動する耕転伝動ケースとに兼用されている。
【０００７】
ミッションケース２の後部には、斜め上方に向かって突出する左右一対のハンドルブラケット７がボルト固定されている。両ハンドルブラケット７の後端部同士は、後方持ち手に兼用されるパイプ８を介して一体的に連結されている。パイプ８の左右両端部には、平面視で略Ｕ字状に形成されるハンドル９の基端部がノブ付きボルト１０を介して取り付けられている。ノブ付きボルト１０を締めると、ハンドル９がパイプ８に対して固定される一方、ノブ付きボルト１０を緩めると、ノブ付きボルト１０を回動支点とするハンドル９の前後回動が許容される。すなわち、図１及び図２に示すように、作業時には、ハンドル９を後方斜め上方に突出する姿勢で固定しているが、非作業時には、図２に仮想線で示すように、ノブ付きボルト１０を緩めてハンドル９を前倒し方向に回動させることにより、ハンドル９を折畳み状に格納できるようにしてある。これにより、機体がコンパクトに格納され、機体の運搬や収納が容易になる。
【０００８】
ハンドル９には、メインクラッチの入り切りを操作するクラッチ操作具１１が設けられている。このクラッチ操作具１１の操作により、車輪４及びロータリ耕耘軸５の駆動を入り切りすることが可能になる。また、ミッションケース２からは、後方斜め上方に向かって変速レバー１２が突設されている。変速レバー１２は、車輪４及びロータリ耕耘軸５の変速操作に兼用されるものであり、レバーガイド１３のガイド孔に沿って前後及び左右に操作される。また、変速レバー１２には、着脱部１２ａが構成されている。この着脱部１２ａは、変速レバー１２の一部又は全体を着脱自在にするためのものであり、例えば、雌ねじと雄ねじからなる継手で構成することができる。このような着脱部１２ａを設けると、ハンドル９の折畳み時に変速レバー１２を取り外し、機体をよりコンパクトに格納することが可能になる。
【０００９】
一方、ミッションケース２の中間部には、前方に延出する平面視略Ｕ字状のカバーブラケット（ブラケット）１４がボルト固定されている。カバーブラケット１４は、ロータリ耕耘軸５の上方を覆うロータリカバー１５の支持部材であるが、本実施形態では、機体の前方持ち手にも兼用される。すなわち、作業者は、前述のパイプ８を後方の持ち手とし、カバーブラケット１４を前方の持ち手とすることによって、機体を簡単に持ち上げることができるようになっている。
【００１０】
ミッションケース２の前端部には、上方に延出する車輪ブラケット１６がボルト固定されている。車輪ブラケット１６には、先端部に回転自在な昇降車輪１７を備えるアーム１８が上下揺動自在に軸支されると共に、アーム１８の揺動を任意の角度で固定する昇降固定具１９が設けられている。すなわち、左右の車輪４及び前側の昇降車輪１７を接地させながら機体を走行させるにあたり、昇降車輪１７の高さ調整に基づいてロータリ耕耘軸５の対地高さを変化させることにより、耕耘深さを任意に設定できるようにしてある。また、車輪ブラケット１６の上端部は、カバーブラケット１４に一体的に連結されているので、カバーブラケット１４及び車輪ブラケット１６が共に安定かつ強固にミッションケース２に固定される。
【００１１】
ロータリカバー１５は、ミッションケース２から突出するカバーブラケット１４に取付けられる。これにより、ロータリカバー１５がカバーブラケット１４を介してミッションケース２に取付けられるので、ロータリカバー１５自体の必要強度を抑えることができるだけでなく、ロータリカバー１５の形状をシンプルに構成することができ、その結果、形状がシンプルな樹脂製のロータリカバー１５などを可能にし、歩行型耕耘機１のデザイン性を高めることができる。
【００１２】
ロータリカバー１５をカバーブラケット１４に取付ける際には、カバーブラケット１４上にロータリカバー１５を重合させ、このロータリカバー１５を下面側でカバーブラケット１４に固定するようにしてある。例えば、ロータリカバー１５の下面に複数（例えば４個）のボス１５ａを形成する一方、カバーブラケット１４に架設したプレート２０に複数の取付孔２０ａを形成し、該取付孔２０ａに下方から差し込んだピン２１をボス１５ａに圧入することにより、ロータリカバー１５がカバーブラケット１４に固定される。このようにすると、ロータリカバー１５の上面側に固定部が露出することを回避し、良好な外観とすることができる。
【００１３】
また、ロータリカバー１５の左右両側部には、側面視でカバーブラケット１４を隠蔽する側面リブ１５ｂが形成されている。これにより、カバーブラケット１４が外部に露出することを可及的に回避できるので、カバーブラケット１４の露出による外観の低下を防ぐことができる。しかも、カバーブラケット１４を前方持ち手に兼用している本実施形態では、持ち手部分のみをロータリカバー１５から突出させることができるので、カバーブラケット１４の持ち手部分を明確化させることが可能になる。
【００１４】
また、ロータリカバー１５の上部は、取り外した変速レバー１２の収納部に兼用されている。このようにすると、取り外した変速レバー１２を別途運搬する必要がないだけでなく、変速レバー１２の紛失も防止できる。また、ロータリカバー１５の上部に、左右方向に沿って変速レバー１２を収納する場合、ロータリカバー１５の左右幅内で変速レバー１２が収納されることが好ましい。このようにすると、運搬時に変速レバー１２が邪魔になったり、障害物との接触で変速レバー１２が脱落する等の不都合を回避できる。
【００１５】
本実施形態のロータリカバー１５は、変速レバー１２の収納部として、変速レバー１２を係合保持可能な複数のキャッチ部１５ｃを備えている。各キャッチ部１５ｃは、先端側が変速レバー１２の径よりも幅狭で、かつ、基端側が変速レバー１２の径よりも幅広又は同等な間隔を存して立設される一対の係合爪からなり、その先端部間に変速レバー１２の軸部を押し込むことにより、変速レバー１２が係合保持される。そして、本実施形態では、このようなキャッチ部１５ｃを、ロータリカバー１５上の凹部１５ｄ内に突設しているので、キャッチ部１５ｃの突出量を抑えつつ、変速レバー１２をロータリカバー１５の上面に沿って収納することができる。
【００１６】
叙述の如く構成された本実施形態の歩行型耕耘機１は、ロータリ耕耘軸５と、ロータリ耕耘軸５の上方を覆うロータリカバー１５と、ロータリ耕耘軸５に動力を伝動するミッションケース２とを備える歩行型耕耘機１であって、ミッションケース２にカバーブラケット１４を突設すると共に、該カバーブラケット１４上にロータリカバー１５を重合し、該ロータリカバー１５を下面側でカバーブラケット１４に固定したので、ロータリカバー１５がカバーブラケット１４を介してミッションケース２に取付けられることになる。これにより、ロータリカバー１５自体の必要強度を抑えることができるだけでなく、ロータリカバー１５の形状をシンプルに構成することができ、その結果、形状がシンプルな樹脂製のロータリカバー１５などを可能にし、歩行型耕耘機１のデザイン性を高めることができる。しかも、ロータリカバー１５は、その下面側でカバーブラケット１４に固定されるので、固定部が外部に露出することも回避できる。
【００１７】
また、ロータリカバー１５の左右両側部には、側面視でカバーブラケット１４を隠蔽する側面リブ１５ｂが形成されるので、カバーブラケット１４が外部に露出することを可及的に回避でき、その結果、カバーブラケット１４の露出による外観の低下を防ぐことができる。
【００１８】
また、変速レバー１２の一部又は全体を着脱自在に構成すると共に、取り外した変速レバー１２をロータリカバー１５の上部に収納するようにしたので、変速レバー１２の取り外しにより、機体をコンパクトに格納することができるだけでなく、取り外した変速レバー１２を別途運搬する面倒や、変速レバー１２の紛失を回避できる。
【００１９】
また、変速レバー１２の収納部は、ロータリカバー１５上の凹部１５ｄ内に突設され、変速レバー１２を係合保持可能なキャッチ部１５ｃを備えるので、キャッチ部１５ｃの突出量を抑えつつ、変速レバー１２をロータリカバー１５の上面に沿って収納することができる。
【００２０】
また、変速レバー１２は、ロータリカバー１５の幅内に収納されるので、運搬時に変速レバー１２が邪魔になったり、障害物との接触で変速レバー１２が脱落する等の不都合も回避できる。
【図面の簡単な説明】
【００２１】
【図１】歩行型耕耘機の斜視図である。
【図２】歩行型耕耘機の側面図である。
【図３】カバーブラケットの平面図である。
【図４】（Ａ）はロータリカバーの平面図、（Ｂ）は側面図である。
【図５】（Ａ）はロータリカバーのＡ−Ａ断面図、（Ｂ）はＢ−Ｂ断面図、（Ｃ）はＣ−Ｃ断面図、（Ｄ）はＤ−Ｄ断面図、（Ｅ）はＥ−Ｅ断面図である。
【符号の説明】
【００２２】
１      歩行型耕耘機
２      ミッションケース
４      車輪
５      ロータリ耕耘軸
９      ハンドル
１２    変速レバー
１４    カバーブラケット
１５    ロータリカバー
１５ａ  ボス
１５ｂ  側面リブ
１５ｃ  キャッチ部
１５ｄ  凹部
１６    車輪ブラケット
１７    昇降車輪
２０    プレート
２０ａ  取付孔
２１    ピン
【図１】
2006191867.tif 000003
【図２】
2006191867.tif 000004
【図３】
2006191867.tif 000005
【図４】
2006191867.tif 000006
【図５】
2006191867.tif 000007